(57)【要約】【課題】雄ねじ部材を一定のトルクで回転操作したときに確実に締付バンドにてホース外周面を目的とする締付力で締め付けることのできるホースクランプを提供する。【解決手段】締付バンド１２と、雄ねじ部材１８及びハウジング２０を備えた締付機構１４とを有するウォームギヤ式のホースクランプ１０において、雄ねじ部材１８の雄ねじ２６を、ねじ溝１６に係入するねじ山２６-１，２６-２，２６-３，２６-４が頭部２４の側に向って漸次大径化するテーパ形状の雄ねじ２６となすとともに、ハウジング２０を、頭部２４が締付バンド１２から離れる方向にねじ軸２２の軸線Ｐを傾斜させた状態に雄ねじ部材１８を保持するものとなす。【選択図】        図２
2008275055.tif 000002
【特許請求の範囲】
【請求項１】
(Ａ)剛性の帯状の部材の一端側にスリット状のねじ溝が所定ピッチで形成され、該一端側を外側にして各端部が重なる状態に円環状に巻かれた締付バンドと
(Ｂ)(イ)外周面に雄ねじの形成されたねじ軸、及び該ねじ軸よりも大径をなす頭部を有し、該雄ねじのねじ山を前記ねじ溝に係入させて、回転により前記締付バンドを縮径させる雄ねじ部材と、(ロ)該締付バンドの他端側に固定されて前記雄ねじ部材を回転可能に保持するハウジングとを備えた締付機構と、
を有し、ホースを剛性の相手パイプに外挿した状態で、該締付バンドによりホース外周面を縮径方向に締め付けて、該ホースを該相手パイプに接続状態にクランプするウォームギヤ式のホースクランプにおいて
前記雄ねじ部材の雄ねじを、前記ねじ溝に係入するねじ山が前記頭部の側に向って漸次大径化するテーパ形状の雄ねじとなすとともに、前記ハウジングを、前記締付機構の取付位置における前記締付バンドの接線方向に対し前記頭部が該締付バンドから離れる方向に前記ねじ軸の軸線を傾斜させた状態に前記雄ねじ部材を保持するものとなしてあることを特徴とするホースクランプ。
【発明の詳細な説明】
【技術分野】
【０００１】
この発明は、ホースを剛性の相手パイプに接続状態にクランプするホースクランプに関し、詳しくは雄ねじ部材を締め込むことによって締付バンドを縮径させ、ホースを相手パイプに接続状態に固定し、クランプする形式のホースクランプに関する。
【背景技術】
【０００２】
可撓性のホースを剛性の相手パイプに接続状態にクランプするホースクランプとして、ホースを相手パイプに挿し込んで外挿状態とし、その状態でホース外周面を縮径方向に締め付けて、ホースを接続状態にクランプするものが従来から広く用いられている。
【０００３】
この種のホースクランプとして、特に太いホースのクランプ用に適したものとして、剛性の締付バンドを有し、これを締付機構において雄ねじ部材を締め込むことで、締付バンドをホース外周面上で縮径させるウォームギヤ式のホースクランプが用いられている。
このホースクランプは、(Ａ)剛性の帯状の部材の一端側にスリット状のねじ溝が形成され、一端側を外側にして各端部が重なる状態に円環状に巻かれた締付バンドと、(Ｂ)(イ)外周面に雄ねじの形成されたねじ軸、及びねじ軸よりも大径をなす頭部を有し、雄ねじのねじ山をねじ溝に係入させて、回転により締付バンドを縮径させる雄ねじ部材と、(ロ)締付バンドの他端側に固定されて雄ねじ部材を回転可能に保持するハウジングとを備えた締付機構と、を有し、ホースを剛性の相手パイプに外挿した状態で、締付バンドによりホース外周面を縮径方向に締め付けて、ホースを相手パイプに接続状態にクランプする。
【０００４】
図５はその一例を具体的に示している。
図において２００はホースクランプで、金属製の締付バンド２０２と、締付機構２０４とを有している。
締付バンド２０２は、図５（Ｂ）に示しているように一端側にスリット状のねじ溝２０６が所定ピッチで形成されており、そしてそのねじ溝２０６の形成された一端側を外側にして各端部が重なる状態に円環状に巻かれている。
【０００５】
一方締付機構２０４は、外周面に雄ねじ２０８の形成されたねじ軸２１０、及びこれよりも大径をなす頭部２１２を備えた雄ねじ部材２１４と、これを回転可能に保持するハウジング２１６とを有している。
ここでハウジング２１６は、図６（Ｂ）に示しているように締付バンド２０２の裏側、詳しくはスリット状のねじ溝２０６の形成されていない他端側の内面側で折り曲げられた一対の折曲片２１８を有しており、それらが溶接により互いに接合されている。図中２２０はその溶接部を表している。
ハウジング２１６は、これら一対の折曲片２１８から成る固定部２２２を、締付バンド２０２の係合凹部２２４に係合させ、かかる締付バンド２０２に固定されている。
【０００６】
このホースクランプ２００では、雄ねじ部材２１４を回転操作すると、締付バンド２０２のねじ溝２０６の形成された一端側がねじ送りで図５中時計方向に回動して縮径し、これによりホース外周面に対する締付けを行って、相手パイプに外挿状態とされたホースを接続状態にクランプする。
尚、この種形式のホースクランプは下記特許文献１にその一例が開示されている。
【０００７】
一般にこのホースクランプ２００を用いてホースを相手パイプに接続状態にクランプ（ロック）するに際しては、雄ねじ部材２１４を設定した所定のトルクの下で回転操作し、締付バンド２０２によるホースの締付力の管理を行う。
【０００８】
ところが図５に示すホースクランプ２００の場合、雄ねじ部材２１４を回転させて、締付バンド２０２の端部（図中上側の端部）をねじ送りで時計方向に回動させ、締付バンド２０２を縮径させたときに、図６（Ａ）（イ）に示すように大径の頭部２１２が、締付バンド２０２の端部（ねじ溝２０６を形成した側の一端部）に当って干渉を生じ、そこで発生する抵抗力により、雄ねじ部材２１４に加えたトルクが一部吸収されてしまい、そのため雄ねじ部材２１４を設定した一定のトルクで回転操作し、締め込んだ場合であっても、ホースが必ずしも設定した締付力で締付バンド２０２により締め付けられない場合が生ずるといった問題があった。
【０００９】
また頭部２１２が締付バンド２０２の端部の上面（外面）に乗り上がることによって、雄ねじ部材２１４を介しハウジング２１６に対して図中右端側の部分を上向きに起す（持ち上げる）力が働き、その状態で無理に雄ねじ部材２１４を回転させて締付バンド２０２を締め込むと、図６Ａ（ロ），Ｂ（ロ）に示すように一対の折曲片２１８と２１８との溶接部２２０に過度の力が働いて、それら折曲片２１８，２１８が溶接部２２０で剥がれ、これによりハウジング２１６が締付バンド２０２への取付位置において大きく傾いたり、或いはまた場合によって締付バンド２０２から外れ、締付機構２０４の破壊に繋がる問題があった。
【００１０】
【特許文献１】特許第３４７３５９４号公報
【発明の開示】
【発明が解決しようとする課題】
【００１１】
本発明は以上のような事情を背景とし、雄ねじ部材を一定のトルクで回転操作したときに、確実に締付バンドにてホース外周面を目的とする締付力で締め付けることができ、また雄ねじ部材を強い力で回転させた場合においても締付機構の損傷をもたらすことのないホースクランプを提供することを目的としてなされたものである。
【課題を解決するための手段】
【００１２】
而して請求項１のものは、(Ａ)剛性の帯状の部材の一端側にスリット状のねじ溝が所定ピッチで形成され、該一端側を外側にして各端部が重なる状態に円環状に巻かれた締付バンドと、(Ｂ)(イ)外周面に雄ねじの形成されたねじ軸、及び該ねじ軸よりも大径をなす頭部を有し、該雄ねじのねじ山を前記ねじ溝に係入させて、回転により前記締付バンドを縮径させる雄ねじ部材と、(ロ)該締付バンドの他端側に固定されて前記雄ねじ部材を回転可能に保持するハウジングとを備えた締付機構と、を有し、ホースを剛性の相手パイプに外挿した状態で、該締付バンドによりホース外周面を縮径方向に締め付けて、該ホースを該相手パイプに接続状態にクランプするウォームギヤ式のホースクランプにおいて、前記雄ねじ部材の雄ねじを、前記ねじ溝に係入するねじ山が前記頭部の側に向って漸次大径化するテーパ形状の雄ねじとなすとともに、前記ハウジングを、前記締付機構の取付位置における前記締付バンドの接線方向に対し前記頭部が該締付バンドから離れる方向に前記ねじ軸の軸線を傾斜させた状態に前記雄ねじ部材を保持するものとなしてあることを特徴とする。
【発明の作用・効果】
【００１３】
以上のように本発明は、雄ねじ部材の雄ねじを、締付バンドのねじ溝に係入するねじ山が雄ねじ部材の頭部の側に向って漸次大径化するテーパ形状の雄ねじとなすとともに、上記ハウジングを、締付機構の取付位置における締付バンドの接線方向に対し、上記の頭部が締付バンドから離れる方向にねじ軸の軸心を傾斜させた状態に雄ねじ部材を保持するようになしたもので、本発明によれば、従来のホースクランプに対して雄ねじ部材の頭部が締付バンドからより離れた位置となるため、雄ねじ部材を回転させて締付バンドを縮径させ、ホースを外周面から締め付けたときに、雄ねじ部材の頭部が、ねじ送りで頭部側に回動して来る締付バンドの端部と当り、干渉するのを回避することができる。
従って頭部と締付バンドとの干渉により、雄ねじ部材に加えた締付トルクが一部そこで吸収され、これによりホースに対する締付力が設定した締付力よりも弱くなってしまう問題を解消することができる。
【００１４】
また、雄ねじ部材の頭部が締付バンドの外面に乗り上がることにより、ハウジングに対してこれを締付バンドから引き離す方向に強い力が働くこともなくなるから、雄ねじ部材を強い力で回転させ、締付バンドによる締付けを強く行った場合においても、ハウジングが締付バンドから部分的若しくは全体的に剥がれ、締付機構が損傷する問題も併せて解決することができる。
【発明を実施するための最良の形態】
【００１５】
次に本発明の実施形態を図面に基づいて詳しく説明する。
図１及び図２において、１０は本実施形態のホースクランプで締付バンド１２と、締付機構１４とを有している。
締付バンド１２は、剛性の金属の帯状の部材の一端側にスリット状のねじ溝１６が所定ピッチで形成され、その一端側を外側にして各端部１２Ａ，１２Ｂが重なる状態に円環状に巻かれている。
締付機構１４は、図２（Ｂ）に示しているように金属製の雄ねじ部材１８と、これを回転可能に保持する金属製のハウジング２０とから成っている。
雄ねじ部材１８は、ねじ軸２２と、これよりも大径且つ外形形状が６角形状をなす頭部２４とを有しており、そのねじ軸部２２の外周面に沿って、雄ねじ２６が上記ねじ溝１６に対応したピッチで設けられている。
【００１６】
一方ハウジング２０は、図３（Ａ）に示しているように略半円筒状をなす筒壁部２８と、筒壁部２８から図中下向きに延び出した一対のアーム３０と、各アーム３０の下端で内向きに折れ曲がった一対の折曲片３２とを有している。
これら一対の折曲片３２は、（ハ）に示しているように溶接部３８で互いに接合されて一体化され、板状の固定部３４を成している。
ハウジング２０は、この固定部３４を締付バンド１２、詳しくは端部１２Ｂに形成された係合凹部４０に係合させ、締付バンド１２に固定されている。
【００１７】
上記筒壁部２８は、ハウジング２０における本体部となるもので、その内部に雄ねじ部材１８、詳しくはねじ軸２２の雄ねじ２６を回転可能に収容している。
この筒壁部２８には、軸方向両端に内向きの（図中下向きの）鍔部３６が一体に設けられている。これら鍔部３６は、雄ねじ２６への当接によって雄ねじ部材１８のハウジング２０からの抜けを防止する。
【００１８】
本実施形態においては、図３（Ｂ）に示しているように雄ねじ部材１８における雄ねじ２６が、詳しくは締付バンド１２のスリット状のねじ溝１６に係入するねじ山２６-１，２６-２，２６-３，２６-４が頭部１８に向って漸次大径化している。即ち雄ねじ２６が頭部１８に向って漸次大径化するテーパ形状をなしている。
そして雄ねじ部材１８は、各ねじ山２６-１，２６-２，２６-３，２６-４を締付バンド１２のねじ溝１６に係入させ得るようにその軸線Ｐが、図２（Ａ）で示す締付機構１４の取付位置における締付バンド１２の接線方向、厳密にはその接線と平行な方向に対し角度θ１で傾斜した状態で、ハウジング２０にて保持されている。
ハウジング２０は、雄ねじ部材１８をそのような傾斜状態で保持すべく、半円筒形状をなす筒壁部２８が、雄ねじ２６のテーパ角度に対応した角度で図中右上がりに斜めに傾斜した形状で構成されている。
【００１９】
尚、本実施形態ではハウジング２０における一対の折曲片３２の溶接部３８が、図３（ハ）に示すように図中右側に寄った位置とされている。即ち折曲片３２と３２とが、雄ねじ部材１８における頭部２４側に寄った位置で互いに溶接接合されている。
このため、雄ねじ部材１８の回転操作により、即ち締付バンド１２の締付けの際に万一ハウジング２０の図中右端部に対し図中上向きの力が働いた場合であっても、この力によって溶接部３８で一対の折曲片３２が離れ、締付バンド１２に対するハウジング２０の固定が不十分となったり、或いはハウジング２０が締付バンド１２から部分的に若しくは全体的に外れて締付機構１４が損傷ないし破壊してしまうといったことが有効に防止される。
【００２０】
図４は本実施形態のホースクランプ１０を用いてホースＨを接続状態にクランプする際の手順を示している。
図に示しているように先ずゴムホース等の弾性且つ可撓性を有するホースＨにホースクランプ１０を緩く外嵌しておき、その状態でホースＨを、先端部に径方向外方に膨らんだ膨出部４４を有する剛性の相手パイプ４２に挿し込んで外挿状態とする。
その後、ホースクランプ１０における締付機構１４の雄ねじ部材１８を設定したトルクで回転させて締付バンド１２を縮径させ、その締付バンド１２の縮径によりホースＨを外周面から相手パイプ４２に締め付け、ホースＨを接続状態にクランプする。
【００２１】
その締付けに際して、本実施形態のホースクランプ１０にあっては、雄ねじ部材１８の雄ねじ２６がテーパ形状をなしているにも拘らず、かかる雄ねじ部材１８が締付バンド１２の接線方向に対し角度θ１で傾斜した状態に保持されているため、雄ねじ２６のねじ山２６-１，２６-２，２６-３，２６-４が良好に締付バンド１２のスリット状のねじ溝１６に係入し、自身の回転によりねじ送りで締付バンド１２の端部１２Ａを図２（Ｂ）中時計方向に回動させ、締付バンド１２を縮径することができる。
一方で雄ねじ部材１８の頭部２４は締付バンド１２から図中上側に離れているため、締付バンド１２の端部１２Ａが頭部２４側に回動してきても、頭部２４が端部１２Ａに当り干渉するのを回避することができる。
【００２２】
以上のような本実施形態では、従来のウォームギヤ式のホースクランプに対し、雄ねじ部材１８の頭部２４が締付バンド１２からより離れた位置となるため、雄ねじ部材１８を回転させて締付バンド１２を縮径させ、ホースＨを外周面から締め付けたときに、雄ねじ部材１８の頭部２４が、ねじ送りで頭部側に進んで来る締付バンド１２の端部１２Ａと当り、干渉するのを回避することができる。
従って、頭部２４と締付バンド１２との干渉により、雄ねじ部材１８に加えた締付トルクが一部そこで吸収され、これによりホースＨに対する締付力が設定した締付力よりも弱くなってしまう問題を解消することができる。
【００２３】
また雄ねじ部材１８の頭部２４が締付バンド１２の外面に乗り上がることによって、ハウジング２０に対しこれを締付バンド１２から引き離す方向の力が強く働くこともないから、雄ねじ部材１８を強い力で回転させ、締付バンド１２による締付けを強く行った場合においても、ハウジング２０が締付バンド１２から部分的若しくは全体的に剥がれ、損傷する問題も併せて解決することができる。
【００２４】
以上本発明の実施形態を詳述したがこれはあくまで一例示であり、本発明はその趣旨を逸脱しない範囲において種々変更を加えた形態で構成可能である。
【図面の簡単な説明】
【００２５】
【図１】本発明の一実施形態であるホースクランプの斜視図である。
【図２】（Ａ）は同実施形態のホースクランプの側面図であり、（Ｂ）は締付機構を拡大して示す図である。
【図３】同実施形態のホースクランプにおける締付機構のハウジング及び雄ねじ部材を各単品状態で示した図である。
【図４】同実施形態のホースクランプを用いたホースの接続の手順を示す図である。
【図５】従来のホースクランプの一例を示す図である。
【図６】図５のホースクランプの不具合を説明するための図である。
【符号の説明】
【００２６】
１０  ホースクランプ
１２  締付バンド
２６-１，２６-２，２６-３，２６-４  ねじ山
１４  締付機構
１６  ねじ溝
１８  雄ねじ部材
２０  ハウジング
２２  ねじ軸
２４  頭部
２６  雄ねじ
４２  相手パイプ
Ｐ    軸線
【図１】
2008275055.tif 000003
【図２】
2008275055.tif 000004
【図３】
2008275055.tif 000005
【図４】
2008275055.tif 000006
【図５】
2008275055.tif 000007
【図６】
2008275055.tif 000008